(57)【要約】【課題】上面が開口されている箱本体と、箱本体に対して開閉する蓋体とを有し、箱正面板から連設された箱上面フラップから突出した係止舌片が蓋正面板に貼着された貼着フラップと係止する包装箱において、係止舌片が貼着フラップに係止した状態から蓋体が箱本体に対して回動して開いた状態にする動作を容易に行なうことができるとともに、蓋体の箱本体に対する閉動作を円滑に行なうことができる包装箱を提供する。【解決手段】本体部１０と蓋部１１０とが設けられ、本体部１０には、正面部３０から連設された上面フラップ４０には、突状部４４ａ、４４ｂが設けられ、蓋部１１０を閉じた状態では、突状部４４ａ、４４ｂが糊代部１７０、１８０に係合し、正面部３０の上側領域を押すことにより、突状部４４ａ、４４ｂの係合が解除され、上面フラップ４０が立ち上がって、蓋部１１０の上面部１２０を下方から押し上げる。【選択図】図８
2016088549.tif 000002
【特許請求の範囲】
【請求項１】
箱本体部（１０）と蓋部（１１０）とを有し、シート状のブランクにより形成された包装箱であって、
箱本体部が、
底面部（２０）と、
第１正面部（３０）と第１右側面部（５０）と第１左側面部（６０）と背面部（７０）とを備えた側面部（２５）と、
第１正面部の上辺から連設された上面フラップ（４０）と、を有し、
上面フラップは、第１正面部側の端部から突出する第１突状部（４４ａ）と第２突状部（４４ｂ）とを有し、
上面フラップが、第１正面部に対して背面側に折曲し、
蓋部が、
背面部の上辺から折れ線を介して連設された上面部（１２０）と、
上面部の背面部とは反対側の辺部から折れ線を介して連設された第２正面部（１３０）と、
上面部の右側面側の辺部から折れ線を介して連設された第２右側面部（１５０）と、
上面部の左側面側の辺部から折れ線を介して連設された第２左側面部（１６０）と、
第２右側面部の第２正面部側の辺部から折れ線を介して連設され、第２正面部の内側の面に接着された第１糊代部（１７０）と、
第２左側面部の第２正面部側の辺部から折れ線を介して連設され、第２正面部の内側の面に接着された第２糊代部（１８０）と、を有し、
第１糊代部と第２正面部と上面部間の折れ線（Ｃ１３０）の間に第１の隙間（Ｓ１）が形成され、第２糊代部と第２正面部と上面部間の折れ線（Ｃ１３０）の間に第２の隙間（Ｓ２）が形成され、
第２正面部が、その内側の面と上面部の内側の面との間の角度が鈍角になるように傾斜して形成され、
蓋部を箱本体部に対して閉じることにより、第１突状部が第１の隙間に入って第１糊代部と係合するとともに、第２突状部が第２の隙間に入って第２糊代部と係合し、
第１突状部と第１糊代部が係合し第２突状部と第２糊代部が係合している状態で、第１正面部における上側領域で左右方向において第１突状部と第２突状部間の領域を外側から押すことにより、第１正面部と上面フラップ間の折れ線（Ｃ４０）が背面側に湾曲し、第１突状部と第１糊代部の係合及び第２突状部と第２糊代部との係合が解除され、第１正面部と上面フラップ間の折れ線が背面側に湾曲することにより上面フラップが上面フラップの内側の面側に湾曲しながら立ち上がって、上面部を下方から押し上げ蓋部を蓋部が開く方向に回動させることを特徴とする包装箱。
【請求項２】
第１正面部が、その内側の面と底面部の上面との間の角度が鈍角になるように傾斜して形成されていることを特徴とする請求項１に記載の包装箱。
【請求項３】
第１突状部と第１糊代部が係合し第２突状部と第２糊代部が係合している状態で、第１正面部の上側の領域を外側から押して、第１突状部と第１糊代部の係合及び第２突状部と第２糊代部との係合が解除されることにより、蓋部は、回動して上面部の内側の面が底面部の上面の方向と鋭角になるように傾斜した状態となり、第１正面部への押し動作を中止することにより、上面フラップは、その先端が背面側斜め上方を向くように底面部に対して傾斜した状態となることを特徴とする請求項１又は２に記載の包装箱。
【請求項４】
第１正面部の上側領域には、第１正面部と上面フラップ間の折れ線が背面側に湾曲しやすくなるための第１罫線（４６ａ、４６ｂ、４６ｃ）が形成されていることを特徴とする請求項１又は２又は３に記載の包装箱。
【請求項５】
第１罫線が、第１正面部の上側領域に形成された罫線で、第１正面部と上面フラップ間の折れ線で第１突状部と第２突状部間の折れ線における左右方向の略中心位置を中心として形成された複数の罫線を有し、該複数の罫線が、該中心位置から下方に形成された中央罫線（４６ａ）と、第１正面部と上面フラップ間の折れ線に対して鋭角をなし右側面側に形成された右側面側罫線（４６ｂ）と、第１正面部と上面フラップ間の折れ線に対して鋭角をなし左側面側に形成された左側面側罫線（４６ｃ）とを有することを特徴とする請求項４に記載の包装箱。
【請求項６】
上面フラップにおける領域には、上面フラップが上面フラップの内側の面側に湾曲しやすくなるための第２罫線（４６ｄ、４６ｅ、４６ｆ）が形成されていることを特徴とする請求項１又は２又は３又は４又は５に記載の包装箱。
【請求項７】
第２罫線が、第１正面部と上面フラップ間の折れ線で第１突状部と第２突状部間の折れ線における左右方向の略中心位置を中心として形成された複数の罫線を有し、該複数の罫線が、該中心位置から第１正面部と上面フラップ間の折れ線に対して略直角に形成された中央罫線（４６ｄ）と、第１正面部と上面フラップ間の折れ線に対して鋭角をなし右側面側に形成された右側面側罫線（４６ｅ）と、第１正面部と上面フラップ間の折れ線に対して鋭角をなし左側面側に形成された左側面側罫線（４６ｆ）とを有することを特徴とする請求項６に記載の包装箱。
【請求項８】
第１正面部と上面フラップの展開状態において、第１正面部と上面フラップ間の折れ線で第１突状部と第２突状部間の折れ線における左右方向の略中心位置を中心として第１正面部の上側領域と上面フラップの領域に形成された放射状の罫線（４６）が設けられていることを特徴とする請求項１又は２又は３に記載の包装箱。
【請求項９】
第２正面部の上面部側とは反対側の領域には、第１突状部と第１糊代部が係合し第２突状部と第２糊代部が係合している状態で、第１正面部の上側領域に形成された上記罫線の一部を正面側に露出させるための切欠部（１３１）が形成されていることを特徴とする請求項４又は５又は８に記載の包装箱。
【請求項１０】
箱本体部において、第１右側面部が、その内側の面と底面部の上面との間の角度が鈍角になるように傾斜して形成され、第１左側面部が、その内側の面と底面部の上面との間の角度が鈍角になるように傾斜して形成され、背面部が、その内側の面と底面部の上面との間の角度が鈍角になるように傾斜して形成され、
蓋部において、第２右側面部が、その内側の面と上面部の内側の面との間の角度が鈍角になるように傾斜して形成され、第２左側面部が、その内側の面と上面部の内側の面との間の角度が鈍角になるように傾斜して形成されていることを特徴とする請求項１又は２又は３又は４又は５又は６又は７又は８又は９に記載の包装箱。
【請求項１１】
第１正面部の右側面側の辺部と第１右側面部の正面側の辺部の間に第１折込み片部（５２）が設けられ、第１折込み片部は２つ折りにした状態で第１右側面部の外側の面に接着され、
第１背面部の右側面側の辺部と第１右側面部の背面側の辺部の間に第２折込み片部（５４）が設けられ、第２折込み片部は２つ折りにした状態で第１右側面部の外側の面に接着され、
第１正面部の左側面側の辺部と第１左側面部の正面側の辺部の間に第３折込み片部（６２）が設けられ、第３折込み片部は２つ折りにした状態で第１左側面部の外側の面に接着され、
第１背面部の左側面側の辺部と第１左側面部の背面側の辺部の間に第４折込み片部（６４）が設けられ、第４折込み片部は２つ折りにした状態で第１左側面部の外側の面に接着されていることを特徴とする請求項１又は２又は３又は４又は５又は６又は７又は８又は９又は１０に記載の包装箱。
【発明の詳細な説明】
【技術分野】
【０００１】
本発明は、包装箱に関するものであり、特に、上面が開口されている箱本体と、箱本体の背面板に連設され、箱本体に対して開閉する蓋体とを有する包装箱に関するものである。
【背景技術】
【０００２】
従来より、上面が開口されている箱本体と、箱本体の背面部に連設され、箱本体に対して開閉する蓋体とを有する包装箱において、特許文献１に記載のトップオープンカートンが存在する。
【０００３】
この特許文献１のトップオープンカートン１においては、箱本体２の箱正面板５と該箱正面板５から連設された箱上面フラップ１２との境界部分に外方に向けて突出する係止舌片２１が切り込み形成され、該係止舌片２１が、蓋体３の閉時に、蓋体３の蓋正面板５の両側に貼着された蓋側面板１１の貼着フラップ１１ａに係止するものである。
【０００４】
そして、蓋正面板５における貼着板１５が貼り付けられている部分を押し込むことにより、箱上面フラップ１２が箱内部側へと進み、箱上面フラップ１２が係止部１６に係止していることからこの箱上面フラップ１２全体は箱底面板４側へと回動するようになり、そのため、ほぼ水平方向で貼着フラップ１１ａに係止していた係止舌片２１それぞれが上方に向くように回動し、貼着フラップ１１ａとの係止状態が解かれる。これによって開封後のトップオープンカートン１では、貼着板１５の貼着部分を押して蓋体３の蓋正面板１０を上げるようにすれば、抵抗なく蓋体３を容易に開くことができる。
【先行技術文献】
【特許文献】
【０００５】
【特許文献１】特開２００７−２９０７４９号公報
【発明の概要】
【発明が解決しようとする課題】
【０００６】
しかし、特許文献１に記載のトップオープンカートンにおいては、蓋正面板５の貼着板１５の箇所を押し込んで係止舌片２１の係止を解除した後に蓋正面板１０を上げて蓋体３を箱本体２に対して回動させる動作をする必要があり、蓋体３を容易に開くことができないという問題があった。特に、蓋正面板５を押し込んで係止舌片２１の係止を解除しても、蓋正面板５の押し動作を解除すると、箱上面フラップ１２の係止部１６への係止が解除されてもとに戻ってしまい、再び係止舌片２１が貼着フラップ１１ａに係止してしまい、蓋正面板１０を上げる動作をしても、蓋体を開けることができないおそれがある。
【０００７】
また、特許文献１に記載のトップオープンカートンにおいては、箱正面板５が箱底面板４に対して直角で、蓋正面板１０が蓋上面板９に対して直角であり、さらに、箱上面フラップ１２が仕切り１３の係止部１６に係止しているので、係止舌片２１は正面側に突出した状態になっており、すると、蓋体３を箱本体２に対して閉める際に、蓋正面板１０の下端が係止舌片２１に接触してしまい、蓋体３の閉動作を円滑に行なうことができないという問題があった。
【０００８】
そこで、本発明は、上面が開口されている箱本体と、箱本体の背面部に連設され、箱本体に対して開閉する蓋体とを有し、箱正面板から連設された箱上面フラップから突出した係止舌片が蓋正面板に貼着された貼着フラップと係止する包装箱において、係止舌片が貼着フラップに係止した状態から蓋体が箱本体に対して回動して開いた状態にする動作を容易に行なうことができるとともに、蓋体の箱本体に対する閉動作を円滑に行なうことができる包装箱を提供することを目的とする。
【課題を解決するための手段】
【０００９】
本発明は上記問題点を解決するために創作されたものであって、第１には、箱本体部（１０）と蓋部（１１０）とを有し、シート状のブランク（「１枚のシート状のブランク」としてもよい）により形成された包装箱であって、箱本体部が、底面部（２０）と、第１正面部（３０）と第１右側面部（５０）と第１左側面部（６０）と背面部（７０）とを備えた側面部（２５）と、第１正面部の上辺から連設された上面フラップ（４０）と、を有し、上面フラップは、第１正面部側の端部から突出する第１突状部（４４ａ）と第２突状部（４４ｂ）とを有し、上面フラップが、第１正面部に対して背面側に折曲し、蓋部が、背面部の上辺から折れ線を介して連設された上面部（１２０）と、上面部の背面部とは反対側の辺部から折れ線を介して連設された第２正面部（１３０）と、上面部の右側面側の辺部から折れ線を介して連設された第２右側面部（１５０）と、上面部の左側面側の辺部から折れ線を介して連設された第２左側面部（１６０）と、第２右側面部の第２正面部側の辺部から折れ線を介して連設され、第２正面部の内側の面に接着された第１糊代部（１７０）と、第２左側面部の第２正面部側の辺部から折れ線を介して連設され、第２正面部の内側の面に接着された第２糊代部（１８０）と、を有し、第１糊代部と第２正面部と上面部間の折れ線（Ｃ１３０）の間に第１の隙間（Ｓ１）が形成され、第２糊代部と第２正面部と上面部間の折れ線（Ｃ１３０）の間に第２の隙間（Ｓ２）が形成され、第２正面部が、その内側の面と上面部の内側の面との間の角度が鈍角になるように傾斜して形成され、蓋部を箱本体部に対して閉じることにより、第１突状部が第１の隙間に入って第１糊代部と係合するとともに、第２突状部が第２の隙間に入って第２糊代部と係合し、第１突状部と第１糊代部が係合し第２突状部と第２糊代部が係合している状態で、第１正面部における上側領域で左右方向において第１突状部と第２突状部間の領域を外側から押すことにより、第１正面部と上面フラップ間の折れ線（Ｃ４０）が背面側に湾曲し、第１突状部と第１糊代部の係合及び第２突状部と第２糊代部との係合が解除され、第１正面部と上面フラップ間の折れ線が背面側に湾曲することにより上面フラップが上面フラップの内側の面側（「背面側」としてもよい）に湾曲しながら（「上面フラップが上面フラップの内側の面側が膨出するように湾曲しながら」としてもよい）立ち上がって、上面部を下方から押し上げ蓋部を蓋部が開く方向に回動させることを特徴とする。
【００１０】
第１の構成の包装箱によれば、第１正面部における上側領域で左右方向において第１突状部と第２突状部間の領域を外側から押して、第１突状部と第１糊代部及び第２突状部と第２糊代部の係合を解除させるのみで、上面フラップが上面部を押し上げ、蓋部を確実に開蓋状態に回動させることができるので、突状部が糊代部と係合した状態から蓋部が箱本体部に対して回動して開いた状態にする動作を容易に行なうことができる。
【００１１】
また、上面フラップが立ち上がることにより上面部を持ち上げるので、素早く確実に蓋部が回動して開いた状態とすることができる。
【００１２】
また、第２正面部が、その内側の面と上面部の内側の面との間の角度が鈍角になるように傾斜して形成されているので、蓋部を閉状態とするべく回動させる際に、第２正面部の先端の高さ位置が第１突状部及び第２突状部の高さ位置に到達した時には、第１突状部及び第２突状部と正面部の先端の間には間隔が存在し、正面部の先端が第１突状部及び第２突状部に接触することがなく、蓋部の箱本体部に対する閉動作を円滑に行なうことができる。
【００１３】
なお、上記第１の構成において、第１突状部と第２突状部は、上面フラップと第１正面部間の折れ線（Ｃ４０）から第１正面部側に略コ字状の切込み（Ｋ１、Ｋ２）を形成することにより第１突状部と第２突状部が形成されているものとしてもよい。
【００１４】
また、第２には、上記第１の構成において、第１正面部が、その内側の面と底面部の上面との間の角度が鈍角になるように傾斜して形成されていることを特徴とする。第１正面部が傾斜しているので、第１正面部の正面側の面を押すことにより斜め下方から押すことになるので、上面フラップが立ち上がりやすい。
【００１５】
また、第３には、上記第１又は第２の構成において、第１突状部と第１糊代部が係合し第２突状部と第２糊代部が係合している状態で、第１正面部の上側の領域を外側から押して、第１突状部と第１糊代部の係合及び第２突状部と第２糊代部との係合が解除されることにより、蓋部は、回動して上面部の内側の面が底面部の上面の方向と鋭角になるように傾斜した状態となり、第１正面部への押し動作を中止することにより、上面フラップは、その先端が背面側斜め上方を向くように底面部に対して傾斜した状態となることを特徴とする。
【００１６】
よって、蓋部と上面フラップとは、係合が解除されることにより基本の状態に復帰するので、蓋部と上面フラップの復帰しようとする力により、より素早く蓋部を開いた状態とすることができる。
【００１７】
また、第４には、上記第１から第３までのいずれかの構成において、第１正面部の上側領域には（「第１正面部の上側領域で左右方向において第１突状部と第２突状部間の領域には」としてもよい）、第１正面部と上面フラップ間の折れ線が背面側に湾曲しやすくなるための第１罫線（４６ａ、４６ｂ、４６ｃ）が形成されていることを特徴とする。よって、第１正面部を押すことによる上面フラップの立ち上がりを容易にすることができる。
【００１８】
また、第５には、上記第４の構成において、第１罫線が、第１正面部の上側領域に形成された罫線で、第１正面部と上面フラップ間の折れ線で第１突状部と第２突状部間の折れ線における左右方向の略中心位置を中心として形成された複数の罫線を有し、該複数の罫線が、該中心位置から下方に形成された中央罫線（４６ａ）と、第１正面部と上面フラップ間の折れ線に対して鋭角をなし右側面側に形成された右側面側罫線（４６ｂ）と、第１正面部と上面フラップ間の折れ線に対して鋭角をなし左側面側に形成された左側面側罫線（４６ｃ）とを有することを特徴とする。
【００１９】
また、第６には、上記第１から第５までのいずれかの構成において、上面フラップにおける領域には（「上面フラップにおける領域で左右方向において第１突状部と第２突状部間の領域には」としてもよい）、上面フラップが上面フラップの内側の面側に湾曲しやすくなるための第２罫線（４６ｄ、４６ｅ、４６ｆ）が形成されていることを特徴とする。よって、第１正面部を押すことによる上面フラップの立ち上がりを容易にすることができる。
【００２０】
また、第７には、上記第６の構成において、第２罫線が、第１正面部と上面フラップ間の折れ線で第１突状部と第２突状部間の折れ線における左右方向の略中心位置を中心として形成された複数の罫線を有し、該複数の罫線が、該中心位置から第１正面部と上面フラップ間の折れ線に対して略直角に形成された中央罫線（４６ｄ）と、第１正面部と上面フラップ間の折れ線に対して鋭角をなし右側面側に形成された右側面側罫線（４６ｅ）と、第１正面部と上面フラップ間の折れ線に対して鋭角をなし左側面側に形成された左側面側罫線（４６ｆ）とを有することを特徴とする。
【００２１】
また、第８には、上記第１から第３までのいずれかの構成において、第１正面部と上面フラップの展開状態において、第１正面部と上面フラップ間の折れ線で第１突状部と第２突状部間の折れ線における左右方向の略中心位置を中心として第１正面部の上側領域と上面フラップの領域に形成された放射状の罫線（４６）が設けられていることを特徴とする。
【００２２】
よって、放射状の罫線が設けられているので、第１正面部と上面フラップ間の折れ線が湾曲しやすいとともに、上面フラップが湾曲しやすく、よって、第１正面部を押すことによる上面フラップの立ち上がりを容易にすることができる。
【００２３】
また、第９には、上記第４又は第５又は第８の構成において、第２正面部の上面部側とは反対側の領域には、第１突状部と第１糊代部が係合し第２突状部と第２糊代部が係合している状態で、第１正面部の上側領域に形成された上記罫線（第１罫線、放射状の罫線）の一部を正面側に露出させるための切欠部（１３１）が形成されていることを特徴とする。これにより、第２正面部における罫線が形成されている領域を押し操作しやすくなっている。
【００２４】
また、第１０には、上記第１から第９までのいずれかの構成において、箱本体部において、第１右側面部が、その内側の面と底面部の上面との間の角度が鈍角になるように傾斜して形成され、第１左側面部が、その内側の面と底面部の上面との間の角度が鈍角になるように傾斜して形成され、背面部が、その内側の面と底面部の上面との間の角度が鈍角になるように傾斜して形成され、蓋部において、第２右側面部が、その内側の面と上面部の内側の面との間の角度が鈍角になるように傾斜して形成され、第２左側面部が、その内側の面と上面部の内側の面との間の角度が鈍角になるように傾斜して形成されていることを特徴とする。
【００２５】
また、第１１には、上記第１から第１０までのいずれかの構成において、第１正面部の右側面側の辺部と第１右側面部の正面側の辺部の間に第１折込み片部（５２）が設けられ、第１折込み片部は２つ折りにした状態で第１右側面部の外側の面に接着され、第１背面部の右側面側の辺部と第１右側面部の背面側の辺部の間に第２折込み片部（５４）が設けられ、第２折込み片部は２つ折りにした状態で第１右側面部の外側の面に接着され、第１正面部の左側面側の辺部と第１左側面部の正面側の辺部の間に第３折込み片部（６２）が設けられ、第３折込み片部は２つ折りにした状態で第１左側面部の外側の面に接着され、第１背面部の左側面側の辺部と第１左側面部の背面側の辺部の間に第４折込み片部（６４）が設けられ、第４折込み片部は２つ折りにした状態で第１左側面部の外側の面に接着されていることを特徴とする。
【００２６】
なお、上記各構成において、包装箱が１枚のシート状のブランクにより形成され、該シート状のブランクが段ボール材であり、段ボール材における断面略波形形状の中芯の段の方向が、左右方向と直角の方向であり、第１正面部と上面フラップにおいては、第１正面部と上面フラップ間の折れ線の方向に対して直角方向であることを特徴とするものとしてもよい。
【発明の効果】
【００２７】
本発明に基づく包装箱によれば、第１の構成の包装箱によれば、第１正面部における上側領域で左右方向において第１突状部と第２突状部間の領域を外側から押して、第１突状部と第１糊代部及び第２突状部と第２糊代部の係合を解除させるのみで、上面フラップが上面部を押し上げ、蓋部を確実に開蓋状態に回動させることができるので、突状部が糊代部と係合した状態から蓋部が箱本体部に対して回動して開いた状態にする動作を容易に行なうことができる。
【００２８】
また、上面フラップが立ち上がることにより上面部を持ち上げるので、素早く確実に蓋部が回動して開いた状態とすることができる。
【００２９】
また、第２正面部が、その内側の面と上面部の内側の面との間の角度が鈍角になるように傾斜して形成されているので、蓋部を閉状態とするべく回動させる際に、第２正面部の先端の高さ位置が第１突状部及び第２突状部の高さ位置に到達した時には、第１突状部及び第２突状部と正面部の先端の間には間隔が存在し、正面部が第１突状部及び第２突状部に接触することがなく、蓋部の箱本体部に対する閉動作を円滑に行なうことができる。
【図面の簡単な説明】
【００３０】
【図１】包装箱の右側面側からの斜視図である。
【図２】包装箱の左側面側からの斜視図である。
【図３】包装箱の右側面図である。
【図４】蓋部の要部説明図である。
【図５】蓋部を閉じた状態の包装箱の斜視図である。
【図６】蓋部を閉じた状態の包装箱の右側面図である。
【図７】蓋部を閉じた状態の包装箱の正面図である。
【図８】包装箱の展開図である。
【図９】図８の要部拡大図である。
【図１０】図８の要部拡大図である。
【図１１】包装箱の使用状態図である。
【図１２】包装箱の閉蓋時の動作を示す説明図である。
【図１３】包装箱の閉蓋時の動作を示す説明図である。
【図１４】包装箱の開蓋時の動作を示す説明図である。
【図１５】包装箱の開蓋時の動作を示す斜視図である。
【発明を実施するための形態】
【００３１】
本発明においては、上面が開口されている箱本体と、箱本体の背面部に連設され、箱本体に対して開閉する蓋体とを有し、箱正面板から連設された箱上面フラップから突出した係止舌片が蓋正面板に貼着された貼着フラップと係止する包装箱において、係止舌片が貼着フラップに係止した状態から蓋体が箱本体に対して回動して開いた状態にする動作を容易に行なうことができるとともに、蓋体の箱本体に対する閉動作を円滑に行なうことができる包装箱を提供するという目的を以下のようにして実現した。
【００３２】
本発明に基づく包装箱Ａ（箱体としてもよい）は、図１〜図１０に示すように構成され、本体部１０と、本体部１０における背面部７０から連設された蓋部１１０とを有している。包装箱Ａは、図８に示す１枚のシート状のブランク（具体的には、段ボール製（特に、両面段ボール製）（例えば、薄型段ボール製）のブランク）により形成されている。
【００３３】
本体部１０は、方形状（具体的には、長方形状）の底面部２０と、底面部２０の正面側の辺部から折れ線を介して連設された正面部３０と、正面部３０の底面部２０とは反対側の辺部から折れ線を介して連設された上面フラップ４０と、底面部２０の右側面側の辺部から折れ線を介して連設された右側面部５０と、底面部２０の左側面側の辺部から折れ線を介して連設された左側面部６０と、底面部２０の背面側の辺部から折れ線を介して連設された背面部７０と、正面部３０と右側面部５０間に設けられた折込み片部５２と、背面部７０と右側面部５０間に設けられた折込み片部５４と、正面部３０と左側面部６０間に設けられた折込み片部６２と、背面部７０と左側面部６０間に設けられた折込み片部６４とを有している。
【００３４】
なお、正面部３０と右側面部５０と左側面部６０と背面部７０と折込み片部５２、５４、６２、６４で側面部２５が構成される。
【００３５】
正面部３０は、台形形状を呈し、底面部２０の正面側の辺部から離れるに従い横方向の幅が大きくなる等脚台形となっている。正面部３０の右側面側の辺部は、底面部２０の正面側で右側面側の角部Ｈ１に接し、正面部３０の左側面側の辺部は、底面部２０の正面側で左側面側の角部Ｈ２に接している。
【００３６】
上面フラップ４０は、左右方向に横長の帯状を呈し、横長長方形状の両側の角部にアールが設けられた形状を呈している。すなわち、上面フラップ４０は、正面部３０の上辺（つまり、折れ線Ｃ４０ｃ）の右側面側の端部近傍位置（端部位置でもよい）から形成された直線状の辺部４０ａと、辺部４０ａの端部から連設された略円弧状の辺部４０ｂと、略円弧状の辺部４０ｂの端部から連設された直線状の辺部４０ｃと、辺部４０ｃの端部から連設された略円弧状の辺部４０ｄと、辺部４０ｄの端部と正面部３０の上辺（つまり、折れ線Ｃ４０ａ）の左側面側の端部近傍位置（端部位置でもよい）間に形成された直線状の辺部４０ｅとを有し、左右対称（つまり、左右線対称）の形状に形成されている。折れ線Ｃ４０と辺部４０ｃは互いに平行となっている。上面フラップ４０は、辺部４０ａ〜４０ｅと、折れ線Ｃ４０と、突状部４４ａ、４４ｂ（後述）を構成する略コ字状の辺部とに囲まれた形状となっている。
【００３７】
上面フラップ４０は、正面部３０との折れ線Ｃ４０から形成された上面フラップ本体部４２と、上面フラップ本体部４２の基端から突出した突状部４４ａ、４４ｂとを有している。
【００３８】
すなわち、上面フラップ４０と正面部３０の境界位置の左右両側には、略コ字状の切込みＫ１、Ｋ２が形成され、この切込みにより上面フラップ４０には突状部４４ａ、４４ｂが設けられている。つまり、切込みＫ１により突状部４４ａが形成され、切込みＫ２により突状部４４ｂが形成されている。
【００３９】
つまり、正面部３０と上面フラップ４０間の折れ線Ｃ４０は、左側面側の折れ線Ｃ４０ａと、中央の折れ線Ｃ４０ｂと、右側面側の折れ線Ｃ４０ｃとを有し、折れ線Ｃ４０ａと折れ線Ｃ４０ｂと折れ線Ｃ４０ｃとは、左右方向の直線状に形成され、同一直線上に形成されている。
【００４０】
切込みＫ１は、折れ線Ｃ４０ｂと折れ線Ｃ４０ｃ間に設けられ、切込みＫ１は、左右方向に形成された直線状の切込みＫ１ａと、切込みＫ１ａの右側面側の端部から切込みＫ１ａに対して直角に形成され、折れ線Ｃ４０ｃと接する切込みＫ１ｂと、切込みＫ１ａの左側面側の端部から切込みＫ１ａに対して直角に形成され、折れ線Ｃ４０ｂと接する切込みＫ１ｃとを有し、切込みＫ１ａと切込みＫ１ｂと切込みＫ１ｃとで略コ字状を呈している。なお、切込みＫ１ｂ、Ｋ１ｃは、折れ線Ｃ４０よりも正面部３０側に向けて形成され、これにより、正面部３０の上端には、切込みＫ１を形成することによる切欠きが形成されている。つまり、上面フラップ４０と正面部３０間の折れ線Ｃ４０から正面部３０側に略コ字状の切込みＫ１を形成することにより突状部４４ａが形成されている。
【００４１】
切込みＫ２は、折れ線Ｃ４０ａと折れ線Ｃ４０ｂ間に設けられ、切込みＫ２は、左右方向に形成された直線状の切込みＫ２ａと、切込みＫ２ａの左側面側の端部から切込みＫ２ａに対して直角に形成され、折れ線Ｃ４０ａと接する切込みＫ２ｂと、切込みＫ２ａの右側面側の端部から切込みＫ２ａに対して直角に形成され、折れ線Ｃ４０ｂと接する切込みＫ２ｃとを有し、切込みＫ２ａと切込みＫ２ｂと切込みＫ２ｃとで略コ字状を呈している。なお、切込みＫ２ｂ、Ｋ２ｃは、折れ線Ｃ４０よりも正面部３０側に向けて形成され、これにより、正面部３０の上端には、切込みＫ２を形成することによる切欠きが形成されている。つまり、上面フラップ４０と正面部３０間の折れ線Ｃ４０から正面部３０側に略コ字状の切込みＫ２を形成することにより突状部４４ｂが形成されている。
【００４２】
また、正面部３０と上面フラップ４０には、放射状罫線４６が形成されている。すなわち、放射状罫線４６は、折れ線Ｃ４０ｂの左右方向の中心位置Ｇを中心に放射状に形成され、正面部３０に形成された罫線（第１罫線）４６ａ、４６ｂ、４６ｃと、上面フラップ４０に形成された罫線（第２罫線）４６ｄ、４６ｅ、４６ｆとを有している。罫線４６ａ〜４６ｆはいずれも直線状に形成されている。
【００４３】
ここで、罫線４６ａは、中心位置Ｇから下方（折れ線Ｃ４０ｂに対して直角方向（左右方向に対して直角方向（略直角方向としてもよい）としてもよい））に形成され、罫線４６ｂは、中心位置Ｇから罫線４６ａに対して右側面側に傾斜して（すなわち、右側面側に斜め下方に傾斜して）形成され、罫線４６ｃは、中心位置Ｇから罫線４６ａに対して左側面側に傾斜して（すなわち、左側面側に斜め下方に傾斜して）形成されている。
【００４４】
罫線４６ａ〜４６ｃは、正面部３０の上側領域に形成されていて、左右方向における形成領域は、突状部４４ａと突状部４４ｂ間の領域となっている（なお、罫線４６ａ〜４６ｃは、左右方向に少なくとも突状部４４ａと突状部４４ｂ間の領域に形成されていればよく、左右方向に突状部４４ａと突状部４４ｂ間の領域外にまで形成されていてもよい）。罫線４６ａ〜罫線４６ｃは、中心位置Ｇから正面部３０の下辺までの途中位置まで形成されていて、正面部３０の下辺までは形成されていない。
【００４５】
つまり、罫線（右側面側罫線）４６ｂは、折れ線Ｃ４０ｂに対して鋭角をなし、罫線（左側面側罫線）４６ｃは、折れ線Ｃ４０ｂに対して鋭角をなしている。罫線４６ａ〜４６ｃが、「第１正面部の上側領域に形成された第１罫線で、第１正面部と上面フラップ間の折れ線が背面側に湾曲しやすくなるための第１罫線」であるといえる。特に、罫線４６ａ〜４６ｃが設けられていることにより、各罫線を中心に湾曲しやすくできるので、正面部３０の上側領域の中央部分を外側から押すことにより、折れ線Ｃ４０ｂが背面側に膨出して（つまり、中心位置Ｇを中心に膨出する）湾曲しやすくできる。
【００４６】
なお、上記の例では、右側面側に傾斜した罫線としては罫線４６ｂのみが形成されているが、右側面側に傾斜した複数の罫線が設けてもよく、また、左側面側に傾斜した罫線としては罫線４６ｃのみが形成されているが、左側面側に傾斜した複数の罫線が設けてもよい。
【００４７】
また、罫線４６ｄは、中心位置Ｇから折れ線Ｃ４０ｂ（左右方向としてもよい）に対して直角方向（略直角方向としてもよい）に形成され、罫線４６ｅは、中心位置Ｇから罫線４６ｄに対して右側面側に傾斜して形成され、罫線４６ｆは、中心位置Ｇから罫線４６ｄに対して左側面側に傾斜して形成されている。
【００４８】
罫線４６ｄ〜４６ｆは、上面フラップ４０の領域に形成され、左右方向における形成領域は、左右方向における形成領域は、突状部４４ａと突状部４４ｂ間の領域となっている（なお、罫線４６ｄ〜４６ｆは、左右方向に少なくとも突状部４４ａと突状部４４ｂ間の領域に形成されていればよく、左右方向に突状部４４ａと突状部４４ｂ間の領域外にまで形成されていてもよい）。罫線４６ｄ〜４６ｆは、中心位置Ｇから上面フラップ４０の先端側の辺部にまで形成されている。
【００４９】
罫線４６ｅ、４６ｆは、左右方向の折れ線Ｃ４０ｂに対して鋭角に傾斜している。つまり、罫線（右側面側罫線）４６ｅは、折れ線Ｃ４０ｂに対して鋭角をなし、罫線（左側面側罫線）４６ｆは、折れ線Ｃ４０ｂに対して鋭角をなしている。罫線４６ｄ〜４６ｆが、「上面フラップにおける領域に形成され、上面フラップが上面フラップの内側の面側に湾曲しやすくなるための第２罫線」であるといえる。特に、罫線４６ｄ〜４６ｆが設けられていることにより、各罫線を中心に湾曲しやすくできるので、正面部３０の上側領域の中央部分を外側から押すことにより、上面フラップ４０が上面フラップ４０の内側の面側（つまり、正面部３０の内側の面から連続した面側）に膨出して（つまり、罫線４６ｄを中心として膨出する）湾曲しやすくできる。
【００５０】
なお、上記の例では、右側面側に傾斜した罫線としては罫線４６ｅのみが形成されているが、右側面側に傾斜した複数の罫線が設けてもよく、また、左側面側に傾斜した罫線としては罫線４６ｆのみが形成されているが、左側面側に傾斜した複数の罫線が設けてもよい。
【００５１】
なお、正面部３０と上面フラップ４０の展開状態において、罫線４６ａと罫線４６ｄは同一直線上にあり、罫線４６ｂと罫線４６ｅは同一直線上にあり、罫線４６ｃと罫線４６ｆは同一直線上にある。
【００５２】
以上のように放射状罫線４６が形成されていることにより、正面部３０の中央上側の領域（つまり、罫線４６ａの箇所）を背面側に押すことにより、正面部３０が背面側に湾曲しやすくなり、正面部３０の湾曲に伴って上面フラップ４０も背面側にしなりやすくなっている。
【００５３】
また、右側面部５０は、台形形状を呈し、底面部２０の右側面側の辺部から離れるに従い横方向の幅が大きくなる等脚台形となっている。右側面部５０の正面側の辺部は、底面部２０の正面側で右側面側の角部Ｈ１に接し、右側面部５０の背面側の辺部は、底面部２０の背面側で右側面側の角部Ｈ３に接している。
【００５４】
また、左側面部６０は、台形形状を呈し、底面部２０の左側面側の辺部から離れるに従い横方向の幅が大きくなる等脚台形となっている。左側面部６０の正面側の辺部は、底面部２０の正面側で左側面側の角部Ｈ２に接し、左側面部６０の背面側の辺部は、底面部２０の背面側で左側面側の角部Ｈ４に接している。なお、右側面部５０と左側面部６０とは、包装箱Ａの展開状態において左右対称（つまり、左右線対称）に形成されている。また、左側面部６０における前後両側の辺部の下辺に対する角度α４は、右側面部５０における前後両側の辺部の下辺に対する角度α３と同一に形成され、左側面部６０における下辺と上辺間の長さは、右側面部５０における下辺と上辺間の長さと同一となっている。なお、α３、α４は鈍角に形成されている。
【００５５】
また、背面部７０は、台形形状を呈し、底面部２０の背面側の辺部から離れるに従い横方向の幅が大きくなる等脚台形となっている。背面部７０の右側面側の辺部は、底面部２０の背面側で右側面側の角部に接し、背面部７０の左側面側の辺部は、底面部２０の背面側で左側面側の角部に接している。なお、背面部７０は、包装箱Ａの展開状態において、正面部３０と略前後対称に形成され、背面部７０における左右両側の辺部の下辺に対する角度α２は、正面部３０における左右両側の辺部の下辺に対する角度α１と同一に形成され、背面部７０における下辺と上辺間の長さは、正面部３０における下辺と上辺（折れ線Ｃ４０としてもよい）間の長さと同一となっている。なお、α１、α２は鈍角に形成されている。
【００５６】
また、折込み片部５２は、その展開状態においては、正面部３０の右側面側の辺部と、右側面部５０の正面側の辺部と、正面部３０の右側面側の辺部の上端と右側面部５０の正面側の辺部の上端とを結ぶ辺部５２ａにより囲まれた三角形状を呈し、正面部３０の右側面側の辺部の長さと右側面部５０の正面側の辺部の長さは同一で、該三角形は二等辺三角形を呈している。折込み片部５２は、角部Ｈ１から辺部５２ａへの垂線Ｃ５２を介して、内側片部５２−１と外側片部５２−２とに区画され、折込み片部５２は該垂線Ｃ５２を介して二つ折りされた状態で、内側片部５２−１が右側面部５０の外側の面に接着されている。
【００５７】
また、折込み片部５４は、その展開状態においては、背面部７０の右側面側の辺部と、右側面部５０の背面側の辺部と、背面部７０の右側面側の辺部の上端と右側面部５０の背面側の辺部の上端とを結ぶ辺部５４ａにより囲まれた三角形状を呈し、背面部７０の右側面側の辺部の長さと右側面部５０の背面側の辺部の長さは同一で、該三角形は二等辺三角形を呈している。折込み片部５４は、角部Ｈ３から辺部５４ａへの垂線Ｃ５４を介して、内側片部５４−１と外側片部５４−２とに区画され、折込み片部５４は該垂線Ｃ５４を介して二つ折りされた状態で、内側片部５４−１が右側面部５０の外側の面に接着されている。
【００５８】
また、折込み片部６２は、その展開状態においては、正面部３０の左側面側の辺部と、左側面部６０の正面側の辺部と、正面部３０の左側面側の辺部の上端と左側面部６０の正面側の辺部の上端とを結ぶ辺部６２ａにより囲まれた三角形状を呈し、正面部３０の左側面側の辺部の長さと左側面部６０の正面側の辺部の長さは同一で、該三角形は二等辺三角形を呈している。折込み片部６２は、角部Ｈ２から辺部６２ａへの垂線Ｃ６２を介して、内側片部６２−１と外側片部６２−２とに区画され、折込み片部６２は該垂線Ｃ６２を介して二つ折りされた状態で、内側片部６２−１が左側面部６０の外側の面に接着されている。
【００５９】
また、折込み片部６４は、その展開状態においては、背面部７０の左側面側の辺部と、左側面部６０の背面側の辺部と、背面部７０の左側面側の辺部の上端と左側面部６０の背面側の辺部の上端とを結ぶ辺部６４ａにより囲まれた三角形状を呈し、背面部７０の左側面側の辺部の長さと左側面部６０の背面側の辺部の長さは同一で、該三角形は二等辺三角形を呈している。折込み片部６４は、角部Ｈ４から辺部６４ａへの垂線Ｃ６４を介して、内側片部６４−１と外側片部６４−２とに区画され、折込み片部６４は該垂線Ｃ６４を介して二つ折りされた状態で、内側片部６４−１が左側面部６０の外側の面に接着されている。
【００６０】
また、蓋部１１０は、背面部７０の上辺から折れ線を介して連設された上面部１２０と、上面部１２０の正面側の辺部（背面部７０とは反対側の辺部）から折れ線Ｃ１３０を介して連設された正面部１３０と、上面部１２０の右側面側の辺部から折れ線を介して連設された右側面部１５０と、上面部１２０の左側面側の辺部から折れ線を介して連設された左側面部１６０と、右側面部１５０の正面側の辺部から折れ線を介して連設され、正面部１３０の内側の面に接着された糊代部１７０と、左側面部１６０の正面側の辺部から折れ線を介して連設され、正面部１３０の内側の面に接着された糊代部１８０とを有している。
【００６１】
ここで、上面部１２０は、方形状（具体的には、長方形状）を呈し、左右方向の長さ（長辺の長さ）は、背面部７０の上辺の長さと略同一であり、前後方向の長さ（短辺の長さ）は、右側面部５０の上辺の長さや左側面部６０の上辺の長さと略同一となっている。
【００６２】
また、正面部１３０は、等脚台形に対して両側の角部に切欠きを形成するとともに、左右方向の中央に略凹状の切欠きを形成した形状を呈し、上面部１２０の正面側の辺部に沿って形成された辺部１３０ａと、辺部１３０ａの右側面側の端部から辺部１３０ａに対して鈍角に形成された直線状の辺部１３０ｂと、辺部１３０ｂの辺部１３０ａとは反対側の端部から連設され、辺部１３０ａに対して略平行な辺部１３０ｃと、辺部１３０ｃの辺部１３０ｂとは反対側の端部から連設され、辺部１３０ｃに対して鈍角をなす直線状の辺部１３０ｄと、辺部１３０ｄの辺部１３０ｃとは反対側の端部から連設され、辺部１３０ａと略平行に形成された辺部１３０ｅと、辺部１３０ｅの辺部１３０ｄとは反対側の端部から連設され、辺部１３０ａに向けて湾曲する円弧状の辺部１３０ｆと、辺部１３０ｆの辺部１３０ｅとは反対側の端部から連設され、辺部１３０ａ側とは反対側に湾曲する円弧状の辺部１３０ｇと、辺部１３０ｇの辺部１３０ｆとは反対側の端部から連設され、左側面側に湾曲する円弧状の辺部１３０ｈと、辺部１３０ｈの辺部１３０ｇとは反対側の端部から連設され、辺部１３０ａと略平行に形成された直線状の辺部１３０ｉと、辺部１３０ｉの辺部１３０ｈとは反対側の端部から連設され、左側面側への斜め辺部１３０ａ側に形成された直線状の辺部１３０ｊと、辺部１３０ｊの辺部１３０ｉとは反対側の端部から連設され、辺部１３０ａに対して略平行で、辺部１３０ｊに対して鈍角をなす辺部１３０ｋと、辺部１３０ｋの辺部１３０ｊとは反対側の端部と辺部１３０ａの左側面側の端部間に形成され、辺部１３０ａに対して鈍角をなす辺部１３０ｌとを有している。
【００６３】
ここで、辺部１３０ｆ〜辺部１３０ｈにより、正面部１３０の上面部１２０側とは反対側の領域には切欠部１３１が形成され、これにより、突状部４４ａと糊代部１７０が係合し突状部と糊代部１８０が係合している状態で、放射状の罫線４６の一部である罫線４６ｄが正面側に露出しており、突状部４４ａと糊代部１７０が係合し突状部と糊代部１８０が係合している状態で、罫線４６ｄの箇所を押し操作しやすくなっている。
【００６４】
なお、正面部１３０は、左右対称（つまり、左右線対称）に形成され、辺部１３０ｂは辺部１３０ｌと左右対称（つまり、左右線対称）に形成され、辺部１３０ｃは辺部１３０ｋと左右対称（つまり、左右線対称）に形成され、辺部１３０ｄは辺部１３０ｊと左右対称に形成され、辺部１３０ｅは辺部１３０ｉと左右対称（つまり、左右線対称）に形成され、辺部１３０ｆは辺部１３０ｈと左右対称（つまり、左右線対称）に形成されている。
【００６５】
また、右側面部１５０は、上面部１２０の右側面側の辺部に沿って細長の略帯状形状を呈し、背面側よりも正面側が幅広に形成されている。すなわち、右側面部１５０は、上面部１２０の右側面側の辺部に沿った辺部１５０ａと、辺部１５０ａの正面側の端部から辺部１５０ａに対して鈍角をなす直線状の辺部１５０ｂと、辺部１５０ｂの辺部１５０ａとは反対側の端部から連設され、円弧状を呈する辺部１５０ｃと、辺部１５０ｃの辺部１５０ｂとは反対側の端部から連設され、辺部１５０ａに対して傾斜した（背面側にいくほど辺部１５０ａとの距離が短くなるように傾斜した）辺部１５０ｄと、辺部１５０ｄの辺部１５０ｃとは反対側の端部から連設された円弧状の辺部１５０ｅと、辺部１５０ｅの辺部１５０ｄとは反対側の端部と辺部１５０ａの背面側の端部間に形成された直線状の辺部１５０ｆとを有している。
【００６６】
また、左側面部１６０は、上面部１２０の左側面側の辺部に沿って細長の略帯状形状を呈し、背面側よりも正面側が幅広に形成されている。左側面部１６０は、包装箱Ａの展開状態において、右側面部１５０と左右対称（つまり、左右線対称）に形成されている。
【００６７】
また、糊代部１７０は、全体に鉤状を呈し、辺部１５０ｂに沿って形成された辺部１７０ａと、辺部１７０ａの下端から連設され、辺部１７０ａに対して鈍角（包装箱Ａの展開状態では、左右方向に対して直角方向）に形成された辺部１７０ｂと、辺部１７０ｂの辺部１７０ａとは反対側の端部から連設され、湾曲して形成された（糊代部１７０が正面部１３０と接着した状態では、上面部１２０と正面部１３０間の折れ線Ｃ１３０（辺部１３０ａとしてもよい）に向けて湾曲して形成され、包装箱Ａの展開状態では、正面部１３０に向けて湾曲して形成されている）辺部１７０ｃと、辺部１７０ｃの辺部１７０ｂとは反対側の端部から形成され、辺部１７０ｂと略直角に形成された直線状の辺部１７０ｄと、辺部１７０ｄの辺部１７０ｃとは反対側の端部から連設され、辺部１７０ｄに対して鋭角に形成され、糊代部１７０が正面部１３０と接着した状態では、折れ線Ｃ１３０と平行（略平行としてもよい）で、折れ線Ｃ１３０と間隔ｈ１（図４参照）を介して形成された直線状の辺部１７０ｅと、辺部１７０ｅの辺部１７０ｄとは反対側の端部から連設され、辺部１７０ｅに対して鈍角をなす直線状の辺部１７０ｆと、辺部１７０ｆの辺部１７０ｅとは反対側の端部と辺部１７０ａの端部間に形成され、辺部１７０ｆに対して鋭角をなす直線状の辺部１７０ｇとを有し、辺部１７０ｅと辺部１３０ｄとは切込みを介して隣接し、辺部１７０ｆと辺部１３０ｃとは切込みを介して隣接し、辺部１７０ｇと辺部１３０ｂとは切込みを介して隣接している。つまり、包装箱Ａの展開状態において、糊代部１７０の正面部１３０側の辺部は切込みを介して正面部１３０と隣接している。ここで、糊代部１７０における先端の辺部１７０ｅが、蓋部１１０を閉状態とした際に、突状部４４ａと係合する。すなわち、辺部１７０ｅと折れ線Ｃ１３０間の隙間Ｓ１の間隔がｈ１となる。
【００６８】
また、糊代部１８０は、全体に鉤状を呈し、糊代部１７０と左右対称（つまり、包装箱Ａの展開状態で、左右線対称）に形成されている。すなわち、糊代部１８０における先端の直線状の辺部１８０ｅは、糊代部１８０が正面部１３０と接着した状態では、折れ線Ｃ１３０と平行（略平行としてもよい）で、折れ線Ｃ１３０と間隔ｈ２（図４参照）を介して形成され、この辺部１８０ｅが、蓋部１１０を閉状態とした際に、突状部４４ｂと係合する。間隔ｈ１と間隔ｈ２は同一（略同一としてもよい）である。すなわち、辺部１８０ｅと折れ線Ｃ１３０間の隙間Ｓ２の間隔がｈ２となる。
【００６９】
なお、糊代部１７０の場合と同様に、包装箱Ａの展開状態において、糊代部１８０の正面部１３０側の辺部は切込みを介して正面部１３０と隣接している。
【００７０】
なお、間隔ｈ１、ｈ２の長さは、突状部４４ａ、４４ｂの長さ（基端から先端までの長さ）よりも長く形成されている。
【００７１】
包装箱Ａは以上のように構成され、図８に示すように、包装箱Ａは、展開状態では全体に左右対称（つまり、左右線対称）に形成されている。
【００７２】
包装箱Ａを組み立てた状態では、内側片部５２−１、５４−１が右側面部５０に接着され、内側片部６２−１、６４−１が左側面部６０に接着されているので、右側面部５０の正面側の辺部が正面部３０の右側面側の辺部に沿って正面部３０の右側面側の辺部に隣接し、右側面部５０の背面側の辺部が背面部７０の右側面側の辺部に沿って背面部７０の右側面側の辺部に隣接し、左側面部６０の正面側の辺部が正面部３０の左側面側の辺部に沿って正面部３０の左側面側の辺部に隣接し、左側面部６０の背面側の辺部が背面部７０の左側面側の辺部に沿って背面部７０の左側面側の辺部に隣接している。
【００７３】
また、糊代部１７０と糊代部１８０とは、正面部１３０の内側の面に接着され、右側面部１５０の正面側の辺部１５０ｂが正面部１３０の右側面側の辺部１３０ｂに沿って辺部１３０ｂに隣接し、左側面部１６０の正面側の辺部１６０ｂが正面部１３０の左側面側の辺部１３０ｌに沿って辺部１３０ｌに隣接している。
【００７４】
また、本体部１０における正面部３０と右側面部５０と左側面部６０と背面部７０とは台形形状に形成されているので、正面部３０と右側面部５０と左側面部６０と背面部７０は、上側にいくほど（つまり、底面部２０から離れるほど）外側となるように傾斜しており、例えば、正面部３０においては、上側にいくほど正面側となるように傾斜している。つまり、正面部３０と右側面部５０と左側面部６０と背面部７０の各部と底面部２０とは鈍角をなしている。
【００７５】
また、蓋部１１０においても、正面部１３０と右側面部１５０と左側面部１６０とは下側にいくほど（つまり、上面部１２０から離れるほど）外側となるように傾斜していて、正面部１３０と右側面部１５０と左側面部１６０の各部と上面部１２０とは鈍角をなしている。
【００７６】
また、突状部４４ａ、４４ｂと糊代部１７０、１８０との係合が解除した状態、特に、突状部４４ａ、４４ｂと糊代部１７０、１８０とが係合した状態から正面部３０の上側領域を押して係合を解除した状態では、図１〜図３に示すように、蓋部１１０は本体部１０に対して上方に回動した状態となっていて、蓋部１１０の上面部１２０は、底面部２０に対して鋭角に傾斜した状態となっている（つまり、上面部１２０の内側の面と底面部２０の上面の方向とが鋭角となっている）（この状態を蓋部１１０についての自然状態とする）。つまり、蓋部１１０に対して外部から力が加わっていない状態が蓋部１１０の自然状態である。
【００７７】
なお、突状部４４ａ、４４ｂが糊代部１７０、１８０に係合して蓋部１１０が閉じた状態（すなわち、上面部１２０が底面部２０と略平行な状態）から蓋部１１０を９０度以上回動させた場合には、図１１に示すように、上面部１２０の内側の面が底面部２０と平行な面に対して鈍角をなした状態で蓋部１１０が静止する。
【００７８】
また、上面フラップ４０は、その自然状態（つまり、上面部１２０により上面フラップ４０を押していない状態）では、その先端が斜め上方を向くように傾斜しており、上面フラップ４０が正面部３０に対して内側に折曲し、底面部２０と平行な状態から鋭角に回動した状態となっている（この状態を上面フラップ４０についての自然状態とする）。つまり、上面フラップ４０に対して外部から力が加わっていない状態が上面フラップ４０の自然状態である。特に、正面部３０が上側にいくほど正面側となるように傾斜しているので、上面フラップ４０は、自然状態で、その先端が斜め上方を向くように傾斜しやすくなっている。
【００７９】
また、包装箱Ａの展開状態は、図８のように示されるが、包装箱Ａを構成する両面段ボール材の中芯（つまり、断面略波形形状の中芯）の段の方向は、図８の円内に示すように、左右方向に対する直角方向に形成されている。これにより、正面部３０や上面フラップにおいては、中芯の段の方向は、折れ線Ｃ４０に対して直角の方向となっている。つまり、上面フラップ４０の先端側の辺部４０ｃや正面部１３０の先端側の辺部（上面部１２０側とは反対側の辺部）には、中芯の略波形形状が視認できる。
【００８０】
これにより、正面部３０と上面フラップ４０間の折れ線Ｃ４０に対して、中芯の段が直交するので、段ボールの中芯の段の方向が左右方向である場合に比べて、以下のように正面部３０への押し動作をすることにより、上面フラップ４０が立ち上がりやすいといえる。
【００８１】
なお、段ボール材は両面段ボール材としたが、片面段ボール材としてもよい（中芯に接着されたライナーは、包装箱の内側と外側のいずれでもよい）。片面段ボール材の場合でも、段ボール材の段の方向を左右方向に対する直角方向とすることにより、正面部３０への押し動作をすることにより、上面フラップ４０が立ち上がりやすくなる。
【００８２】
なお、中芯の段の方向は、左右方向に対する直角方向であるとしたが、これには限られず他の方向としてもよい。また、包装箱Ａを構成するシート状のブランクとしては、段ボール材以外のシート状のブランク（例えば、厚紙）でもよい。
【００８３】
上記構成の包装箱Ａの使用状態について説明する。まず、突状部４４ａ、４４ｂが糊代部１７０，１８０と係合していない状態から蓋部１１０を開けて本体部１０内に被収納物を収納する。例えば、図１１に示すように、上面部１２０の内側の面が底面部２０と平行な面に対して鈍角をなすように蓋部１１０が開けた状態として、本体部１０内に被収納物を収納する。
【００８４】
その後、蓋部１１０を本体部１０の側に回動させて、上面部１２０が底面部２０と略平行とすることにより突状部４４ａ、４４ｂが糊代部１７０、１８０に係合して蓋部１１０が閉状態となる。なお、以下の説明で使用する図１２〜図１３では、突状部４４ａ、４４ｂのうち突状部４４ｂのみを図示しているが、突状部４４ａについても同様の作用であるので、「突状部４４ｂ（４４ａ）」のように表示する。
【００８５】
すなわち、蓋部１１０を閉状態となる方向に回動させていき、図１２（ａ）に示すように、蓋部１１０の正面部１３０の先端の高さ位置が突状部４４ｂ（４４ａ）の高さ位置にある際には、もともと正面部１３０は上面部１２０に対して鈍角をなすので、図１２（ａ）に示す状態で、突状部４４ａと正面部１３０の先端の間には間隔ｎが存在し（突状部４４ｂと正面部１３０の先端の間にも同様に間隔が存在する）、正面部１３０が突状部４４ａ、４４ｂに接触することがなく、蓋部１１０の本体部１０に対する閉動作を円滑に行なうことができる。特に、上面フラップ４０は、その自然状態において、その先端が斜め上方を向くように傾斜しているので、突状部４４ａ、４４ｂは、図１２（ａ）に示すように、斜め下方を向いた状態であり、仮に、正面部１３０の先端が突状部４４ａ、４４ｂに接触したとしても、上面フラップ４０が外側に若干回動し、正面部１３０の先端は、突状部４４ａ、４４ｂの外側の面を滑りながら下降するので、突状部４４ａ、４４ｂが閉蓋動作の邪魔になることがない。
【００８６】
図１２（ａ）に示す状態から蓋部１１０が回動していくと、図１２（ｂ）に示すように、上面フラップ４０の先端が上面部１２０の内側の面に接し、さらに、蓋部１１０を回動させていくと、突状部４４ｂ（４４ａ）が糊代部１８０（１７０）に接し、その後、蓋部１１０が下降することにより、糊代部１８０（１７０）に押されて突状部４４ｂ（４４ａ）は上面フラップ４０に対して鋭角に折曲した状態となり、図１３（ｃ）に示すように、突状部４４ｂ（４４ａ）の上側の面が糊代部１８０（１７０）の外側の面に接しながら、蓋部１１０が下降していく。
【００８７】
なお、上記の説明では、上面フラップ４０の先端が上面部１２０の内側の面に接触した後に突状部４４ｂ（４４ａ）が糊代部１８０（１７０）に接触するとしたが、ほぼ同時である場合もあるし、順序が逆である場合もある。
【００８８】
その後、突状部４４ｂ（４４ａ）の先端が糊代部１８０の辺部１８０ｅ（１７０ｅ）の位置に達した時に、突状部４４ｂ（４４ａ）が隙間Ｓ２（Ｓ１）に入り込み、図１３（ｄ）に示すように、突状部４４ｂ（４４ａ）の先端が辺部１８０ｅ（１７０ｅ）と当接して、突状部４４ｂ（４４ａ）と糊代部１８０（１７０）が係合する。突状部４４ｂ（４４ａ）の上側の面が糊代部１８０（１７０）の外側の面に接している状態では、正面部１３０が上面部１２０に対して鈍角をなし、突状部４４ｂ（４４ａ）の上面部１２０に対する折曲角度が小さいので、突状部４４ｂ（４４ａ）が隙間Ｓ２（Ｓ１）に到達した際に、突状部４４ｂ（４４ａ）の折曲状態からもとに戻りやすく、よって、突状部４４ｂ（４４ａ）が隙間に入りやすいといえる。
【００８９】
以上のようにして、突状部４４ｂ（４４ａ）が糊代部１８０（１７０）と係合して、蓋部１１０が閉状態でロックされる。蓋部１１０が閉状態でロックされた状態では、上面フラップ４０は図１３（ｄ）に示すように、ほぼ水平（底面部２０に対して略平行）となっている。なお、この状態でも、上面フラップ４０自体は、自然状態に戻ろうとして上面部１２０を上方に押しているが、突状部４４ｂ（４４ａ）が糊代部１８０（１７０）に係合してロックされているので、上面フラップ４０は自然状態には戻れない状態となっている。また、蓋部１１０についても自然状態に戻ろうとしている（つまり、上方に回動しようとしている）が、突状部４４ｂ（４４ａ）が糊代部１８０（１７０）に係合してロックされているので、蓋部１１０は自然状態には戻れない状態となっている。
【００９０】
次に、蓋部１１０が閉状態でロックされている状態から本体部１０の正面部３０の中央上側の領域（つまり、罫線４６ａの箇所）を背面側に押すことにより（図１４（ａ）参照）、正面部３０が背面側に湾曲し、正面部３０の湾曲に伴って正面部３０と上面フラップ４０間の折れ線Ｃ４０がしなり、折れ線Ｃ４０が湾曲する（「しなる」としてもよい）（折れ線Ｃ４０の中央部分を中心に背面側に凹状に湾曲する）ことにより突状部４４ｂ（４４ａ）と糊代部１８０（１７０）との係合が解除される。
【００９１】
また、折れ線Ｃ４０が背面側に凹状に湾曲することにより、上面フラップ４０が背面側に湾曲しながら（「しなりながら」としてもよい）（つまり、上面フラップ４０の左右方向の中央部分を中心に背面側に（すなわち、上面フラップ４０の内側の面側に）膨出して凹状に湾曲する）立ち上がるので、これにより上面フラップ４０が上面部１２０を押し上げる（跳ね上げるとしてもよい）。また、上面フラップ４０自身も基本状態に復帰しようとするので、その復帰力によっても上方に回動して上面部１２０を持ち上げる。さらに、蓋部１１０は、上面フラップ４０に押し上げられた後は、蓋部１１０自身が基本状態に復帰しようとして回動し、その後、基本状態に復帰する。特に、正面部３０が傾斜しているので、正面部３０の正面側の面を押すことにより斜め下方から押すことになるので、上面フラップ４０が立ち上がりやすい。
【００９２】
なお、正面部３０への押し動作を中止することにより、上面フラップ４０は、正面部３０への押し動作による立ち上がりから解放されて、基本状態に復帰する（図１４（ｂ）、図１５参照）。
【００９３】
すなわち、上面フラップ４０が上面部１２０を押し上げるので、蓋部１１０が上方への回動をスタートする際の速度（つまり、回動の初速）を上面フラップ４０の押し上げがない場合に比べて速くすることができ、蓋部１１０が基本状態に戻るまでの時間を短くすることができる。以上のように、上面フラップ４０が立ち上がることによる上面部１２０の持ち上げと、上面フラップ４０が復帰しようとして回動することにより上面部１２０の持ち上げと、蓋部１１０自身の上方への回動により、素早く確実に蓋部１１０が回動して開いた状態とすることができる。
【００９４】
特に、上面フラップ４０による押し上げがない場合には、蓋部１１０自身が基本状態に戻ろうとする復帰力のみにより上方に回動するので、回動の初速が遅く、正面部３０の押し操作の時間が短いと、解除された係合状態が再び行われてしまう（つまり、再び係合する）おそれがあるが、本実施例の場合には、回動の初速が速いので、正面部３０の押し操作が短くても、確実に蓋部１１０を回動させて開蓋状態とすることができる。
【００９５】
また、上面フラップ４０は基本状態では斜めに傾斜しているので、蓋部１１０の基本状態への復帰力が弱く下降してきても、上面フラップ４０が上面部１２０を下方から支持するので、不用意に突状部４４ａ、４４ｂと糊代部１７０、１８０が係合してしまうことがない。
【００９６】
以上のように、正面部３０の上側の領域を押して、突状部４４ｂ（４４ａ）と糊代部１８０（１７０）との係合を解除させるのみで、上面フラップ４０が上面部１２０を押し上げ、蓋部１１０を確実に開蓋状態に回動させることができるので、突状部４４ａ、４４ｂが糊代部１８０、１７０と係合した状態から蓋部１１０が本体部１０に対して回動して開いた状態にする動作を容易に行なうことができる。
【００９７】
また、正面部１３０は上面部１２０に対して鈍角をなすので、蓋部１１０を閉状態とするべく回動させる際に、蓋部１１０の正面部１３０の先端の高さ位置が突状部４４ｂ（４４ａ）の高さ位置に到達した時には、突状部４４ａ、４４ｂと正面部１３０の先端の間には間隔が存在し、正面部１３０が突状部４４ａ、４４ｂに接触することがなく、蓋部１１０の本体部１０に対する閉動作を円滑に行なうことができる。
【符号の説明】
【００９８】
Ａ  包装箱
１０  本体部
２０  底面部
２５  側面部
３０、１３０  正面部
４０  上面フラップ
４２  上面フラップ本体部
４４ａ、４４ｂ  突状部
４６  放射状罫線
５０、１５０  右側面部
５２、５４、６２、６４  折込み片部
５２−１、５４−１、６２−１、６４−１  内側片部
５２−２、５４−２、６２−２、６４−２  外側片部
６０、１６０  左側面部
７０  背面部
１７０、１８０  糊代部
【図１】
2016088549.tif 000003
【図２】
2016088549.tif 000004
【図３】
2016088549.tif 000005
【図４】
2016088549.tif 000006
【図５】
2016088549.tif 000007
【図６】
2016088549.tif 000008
【図７】
2016088549.tif 000009
【図８】
2016088549.tif 000010
【図９】
2016088549.tif 000011
【図１０】
2016088549.tif 000012
【図１１】
2016088549.tif 000013
【図１２】
2016088549.tif 000014
【図１３】
2016088549.tif 000015
【図１４】
2016088549.tif 000016
【図１５】
2016088549.tif 000017